(57)【要約】【課題】設計者の負担軽減をはかり、リアルタイムで仮設足場設計データの入手を可能とする。また、資材発注のための事務処理を省略する。【解決手段】材料拾い出し部１３が、建築物の高さと幅をパラメータとして仮設足場を構成する材料を拾い出し、各材料の必要数量に換算すると共に、各材料の総重量を計算し、設計データ送信１４を介して各材料の数量と重量を要求のあった携帯端末へ送信する。また、足場材料発注１６が、携帯端末の画面に割り付けられ表示される発注送信ボタンが押下されることにより起動され、発注送信ボタンに貼付されたアドレスに相当するサーバに各材料の発注要求を発行する。【選択図】　　　図１
2004092296.tif 000002
【特許請求の範囲】
【請求項１】
携帯端末とは通信網を介して接続される仮設足場設計データ提供装置であって、
前記携帯端末を介して入力される建築物の高さと幅をパラメータとする前記仮設足場材料の設計データ取得要求を受信する設計データ取得要求受信手段と、
前記パラメータに従って前記仮設足場を構成する材料を拾い出し、各材料の必要数量に換算すると共に、前記各材料の総重量を計算する材料拾い出し手段と、
前記材料拾い出し手段によって計算される前記足場を構成する各材料の数量と重量を前記要求のあった携帯端末へ送信する設計データ送信手段と、
を備えることを特徴とする仮設足場設計データ提供装置。
【請求項２】
前記材料拾い出し手段は、
前記パラメータに基づき、前記仮設足場を構成する各枠の縦方向と横方向の単位寸法で除算した値を、縦枠数、横枠数とし、それぞれの枠に配置される材料の必要数量を所定のルールに従い決定すること、
を特徴とする請求項１または２に記載の仮設足場設計データ提供装置。
【請求項３】
携帯端末とは通信網を介して接続される仮設足場設計データ提供装置であって、
前記携帯端末を介して入力される前記仮設足場を構成する単位枠の縦横に必要な数量をそれぞれパラメータとする前記仮設足場材料の設計データ取得要求を受信する設計データ取得要求受信手段と、
前記パラメータに従って前記仮設足場を構成する材料を拾い出し、各材料の必要数量に換算すると共に、前記各材料の総重量を計算する材料拾い出し手段と、
前記材料拾い出し手段によって計算される前記足場を構成する各材料の数量と重量を前記要求のあった携帯端末へ送信する設計データ送信手段と、
を備えることを特徴とする仮設足場設計データ提供装置。
【請求項４】
前記仮設足場を構成する材料は、少なくとも、鳥居型枠、筋交い、ジャッキベース、板付き布枠、短部ストッパから成り、
前記材料拾い出し手段は、仮設足場を構成する単位枠を縦方向にｎ個、横方向にｍ個必要とする場合、前記単位枠を構成する鳥居型枠はｎ×ｍ個、前記筋交いは、枠が横方向に１増える毎に２ｍ個、枠が縦方向に１増える毎に２ｎ個、前記ジャッキベースは、枠が横方向に１増える毎に２ｍ個、前記板付き布枠は、枠が横方向に１増える毎にｍ個、枠が縦方向に１増える毎にｎ個、前記短部ストッパは、枠が横方向に１増える毎に２ｎ個、枠が縦方向に１増える毎に４個、必要数量として拾い出すことを特徴とする請求項３に記載の仮設足場設計データ提供装置。
【請求項５】
前記パラメータとして、更に、前記仮設足場の種類が設定され、当該足場の種類に従って定義される所定のルールに従い前記仮設足場を構成する材料を拾い出し、各材料の必要数量に換算することを特徴とする請求項１または３に記載の仮設足場設計データ提供装置。
【請求項６】
前記携帯端末の画面に割り付けられ表示される発注送信ボタンが押下されることにより起動され、前記発注送信ボタンに貼付されたアドレスに相当するサーバに、前記拾い出し手段によって計算される前記足場を構成する各材料の発注要求を発行する足場材料発注手段、
を備えることを特徴とする請求項１または３に記載の仮設足場材料の設計データ提供装置。
【請求項７】
携帯端末とは通信網を介して接続される仮設足場設計データ提供装置のための設計データ提供方法であって、
前記携帯端末を介して入力される建築物の高さと幅をパラメータとする前記仮設足場材料の設計データ取得要求を受信する工程と、
前記パラメータに従って前記仮設足場を構成する材料を拾い出し、各材料の必要数量に換算すると共に、前記各材料の総重量を計算する工程と、
計算された前記足場を構成する各材料の数量と重量を前記要求のあった携帯端末へ送信する工程と、
を備えることを特徴とする仮設足場設計データ提供方法。
【請求項８】
携帯端末とは通信網を介して接続される仮設足場設計データ提供装置のための設計データ提供方法であって、
前記携帯端末を介して入力される前記仮設足場を構成する単位枠の縦横に必要な数量をそれぞれパラメータとする前記仮設足場材料の設計データ取得要求を受信する工程と、
前記パラメータに従って前記仮設足場を構成する材料を拾い出し、各材料の必要数量に換算すると共に、前記各材料の総重量を計算する工程と、
計算された前記足場を構成する各材料の数量と重量を前記要求のあった携帯端末へ送信する工程と、
を備えることを特徴とする仮設足場設計データ提供方法。
【請求項９】
携帯端末とは通信網を介して接続される仮設足場設計データ提供装置に用いられる仮設足場設計データ提供プログラムであって、
前記携帯端末を介して入力される建築物の高さと幅をパラメータとする前記仮設足場材料の設計データ取得要求を受信するステップと、
前記パラメータに従って前記仮設足場を構成する材料を拾い出し、各材料の必要数量に換算すると共に、前記各材料の総重量を計算するステップと、
前記材料拾い出し手段によって計算される前記足場を構成する各材料の数量と重量を前記要求のあった携帯端末へ送信するステップと、
をコンピュータに実行させる仮設足場設計データ提供プログラム。
【請求項１０】
携帯端末とは通信網を介して接続される仮設足場設計データ提供装置のための仮設足場設計データ提供プログラムであって、
前記携帯端末を介して入力される前記仮設足場を構成する単位枠の縦横に必要な数量をそれぞれパラメータとする前記仮設足場材料の設計データ取得要求を受信するステップと、
前記パラメータに従って前記仮設足場を構成する材料を拾い出し、各材料の必要数量に換算すると共に、前記各材料の総重量を計算するステップと、
前記材料拾い出し手段によって計算される前記足場を構成する各材料の数量と重量を前記要求のあった携帯端末へ送信するステップと、
をコンピュータに実行させる仮設足場設計データ提供プログラム。
【発明の詳細な説明】
【０００１】
【発明の属する技術分野】
本発明は、携帯端末を用い、建築物における仮設足場を構成する材料の数量と重量を現地でリアルタイムに拾い出し、かつ発注可能な、仮設足場設計データ提供装置およびその方法、ならびに仮設足場設計データ提供プログラムに関する。
【０００２】
【従来の技術】
建築の分野において、建物の建築に必要な資材を拾い出すＣＡＤ（Ｃｏｍｐｕｔｅｒ・Ａｉｄｅｄ・Ｄｅｓｉｇｎ）と一体化された大がかりな建築積算システムがある（例えば、特許文献１参照）。しかしながら、建築積算システムを仮設足場を設計するために設計データを提供する用途に用いることはできず、そのための簡単なツールの出現が望まれていた。
【０００３】
【特許文献１】
特開２００２−４９６５７号公報
【０００４】
家屋建設において仮設足場を設計する場合、従来は、図面を作成して現地で状況調査のうえ範囲を確認し、仮設足場を構成する材料を必要数量手計算で拾い出していた。その後、各材料の単位重量を掛け合わせて総重量を引き出し、業者へ電話注文する等により、発注をかけていた。
【０００５】
図７に枠組み足場の全体構成を、図８に足場を構成する各材料の外観が示されている。仮設足場を構成する材料は、例えば、枠組み足場の場合、ジャッキベース５１、鳥居型枠５２、筋交い５３、板付布枠５４、端部ストッパ５５、足場ツナギ５６、クランプ５７、根がらみパイプ５８等、足場の種類によってあらかじめわかっている何種類かの組み合わせであり、その連続から成り立っている。更に、必要数量にしても、１スパン（横方向）、１段（縦方向）増える毎に一定の法則があることがわかっている。
【０００６】
【発明が解決しようとする課題】
ところで、上記した従来例によれば、設計者にかなりの負担がかかり、そのために要する時間と労力は無視できいものとなっていた。また、手作業であるため、間違い等も発生し、その場合、返品等余分な業務も発生することになる。また、発注にしても業者の選定や事務処理のために人的コストを要していた。
【０００７】
本発明は上記事情に鑑みてなされたものであり、サイトを立ち上げることによって携帯端末を介して発行されるユーザからの仮設足場に関する設計データ取得要求を受付け、建築物の高さや幅、もしくは段数やスパン数等、適当なパラメータを得、仮設足場を構成する材料の必要数量ならびに重量等を自動計算して送信することにより、設計者の負担軽減をはかり、リアルタイムでの仮設足場の設計データの入手が可能な、仮設足場設計データ提供装置およびその方法、ならびに仮設足場設計データ提供プログラムを提供することを目的とする。
また、携帯端末に注文発注ボタンを割り付け、業者のＵＲＬ（Ｕｎｉｆｏｒｍ・Ｒｅｓｏｕｒｃｅ・Ｌｏｃａｔｅｒ）を貼付することによって、発注のための事務処理を省略した、仮設足場設計データ提供装置およびその方法、ならびに仮設足場設計データ提供プログラムを提供することも目的とする。
【０００８】
【課題を解決するための手段】
上記した課題を解決するために請求項１に記載の発明は、携帯端末とは通信網を介して接続される仮設足場設計データ提供装置であって、前記携帯端末を介して入力される建築物の高さと幅をパラメータとする前記仮設足場材料の設計データ取得要求を受信する設計データ取得要求受信手段と、前記パラメータに従って前記仮設足場を構成する材料を拾い出し、各材料の必要数量に換算すると共に、前記各材料の総重量を計算する材料拾い出し手段と、前記材料拾い出し手段によって計算される前記足場を構成する各材料の数量と重量を前記要求のあった携帯端末へ送信する設計データ送信手段と、を備えることを特徴とする。
【０００９】
請求項１に記載の発明によれば、材料拾い出し手段が、建築物の高さと幅をパラメータとして仮設足場を構成する材料を拾い出し、各材料の必要数量に換算すると共に、各材料の総重量を計算し、設計データ送信手段を介して各材料の数量と重量を要求のあった携帯端末へ送信することにより設計が自動化されるため足場構成材料拾い出しのための設計者の負担軽減がはかれ、かつ、ユーザは、現地で直接その設計データを入手可能な仮設足場設計データ提供装置を構築できる。
【００１０】
また、請求項２に記載の発明は、請求項１に記載の仮設足場設計データ提供装置において、前記材料拾い出し手段は、前記パラメータに基づき、前記仮設足場を構成する各枠の縦方向と横方向の単位寸法で除算した値を、縦枠数、横枠数とし、それぞれの枠に配置される材料の必要数量を所定のルールに従い決定すること、を特徴とする。
【００１１】
請求項２に記載の発明によれば、材料拾い出し手段が、携帯端末を介して設定されるパラメータに基づき、仮設足場を構成する各枠の縦方向と横方向の単位寸法で除算した値を、縦枠数、横枠数とし、それぞれの枠に配置される材料の必要数量を所定のルールに従い決定することにより、設計が自動化されるため足場構成材料拾い出しのための設計者の負担軽減がはかれ、間違いの発生を最大限抑えることができる。
【００１２】
上記した課題を解決するために請求項３に記載の発明は、携帯端末とは通信網を介して接続される仮設足場設計データ提供装置であって、前記携帯端末を介して入力される前記仮設足場を構成する単位枠の縦横に必要な数量をそれぞれパラメータとする前記仮設足場材料の設計データ取得要求を受信する設計データ取得要求受信手段と、前記パラメータに従って前記仮設足場を構成する材料を拾い出し、各材料の必要数量に換算すると共に、前記各材料の総重量を計算する材料拾い出し手段と、前記材料拾い出し手段によって計算される前記足場を構成する各材料の数量と重量を前記要求のあった携帯端末へ送信する設計データ送信手段と、を備えることを特徴とする。
【００１３】
請求項３に記載の発明によれば、材料拾い出し手段が、携帯端末を介して入力される仮設足場を構成する単位枠の縦横に必要な数量をそれぞれパラメータとして仮設足場を構成する材料を拾い出し、各材料の必要数量に換算すると共に、各材料の総重量を計算し、設計データ送信手段を介して各材料の数量と重量を要求のあった携帯端末へ送信することにより設計が自動化されるため足場構成材料拾い出しのための設計者の負担軽減がはかれ、現地で直接その設計データを入手可能な仮設足場設計データ提供装置を構築できる。
【００１４】
また、請求項４に記載の発明は、請求項１または３に記載の仮設足場材料の設計データ提供装置において、前記仮設足場を構成する材料は、少なくとも、鳥居型枠、筋交い、ジャッキベース、板付き布枠、短部ストッパから成り、前記材料拾い出し手段は、仮設足場を構成する単位枠を縦方向にｎ個、横方向にｍ個必要とする場合、前記単位枠を構成する鳥居型枠はｎ×ｍ個、前記筋交いは、枠が横方向に１増える毎に２ｍ個、枠が縦方向に１増える毎に２ｎ個、前記ジャッキベースは、枠が横方向に１増える毎に２ｍ個、前記板付き布枠は、枠が横方向に１増える毎にｍ個、枠が縦方向に１増える毎にｎ個、前記短部ストッパは、枠が横方向に１増える毎に２ｎ個、枠が縦方向に１増える毎に４個、必要数量として拾い出すことを特徴とする。
【００１５】
請求項４に記載の発明によれば、仮設足場を構成する材料の必要数量を所定のルールに従って計算し、また、総重量を自動計算することにより、設計者の負担を軽減し、リアルタイムでその設計データを入手することができ、かつ、間違いのない足場設計および組立てが可能になる。
【００１６】
また、請求項５に記載の発明は、請求項１または３に記載の仮設足場設計データ提供装置において、前記パラメータとして、更に、前記仮設足場の種類が設定され、当該足場の種類に従って定義される所定のルールに従い前記仮設足場を構成する材料を拾い出し、各材料の必要数量に換算することを特徴とする。
【００１７】
請求項５に記載の発明によれば、冒頭、仮設足場の種類がパラメータとして設定されることにより、足場の種類に従ってあらかじめ定義された所定のルールに従い仮設足場を構成する材料を拾い出し、各材料の必要数量に換算することで、足場の種類に依存しない設計データの提供が可能であり、このことにより、仮設足場設計を行なう設計者の負担が軽減され、リアルタイムでの設計データ入手が可能になる。
【００１８】
また、請求項目６に記載の発明は、請求項１または３に記載の仮設足場材料の設計データ提供装置において、前記携帯端末の画面に割り付けられ表示される発注送信ボタンが押下されることにより起動され、前記発注送信ボタンに貼付されたアドレスに相当するサーバに、前記拾い出し手段によって計算される前記足場を構成する各材料の発注要求を発行する足場材料発注手段、を備えることを特徴とする。
【００１９】
請求項６に記載の発明によれば、足場材料発注手段が、携帯端末の画面に割り付けられ表示される発注送信ボタンが押下されることにより起動され、発注送信ボタンに貼付されたアドレスに相当するサーバに拾い出し手段によって計算される足場を構成する各材料の発注要求を発行することで、発注のための事務処理を省略した、仮設足場設計データ提供装置を構築できる。
【００２０】
請求項７に記載の発明は、携帯端末とは通信網を介して接続される仮設足場設計データ提供装置のための設計データ提供方法であって、前記携帯端末を介して入力される建築物の高さと幅をパラメータとする前記仮設足場材料の設計データ取得要求を受信する工程と、前記パラメータに従って前記仮設足場を構成する材料を拾い出し、各材料の必要数量に換算すると共に、前記各材料の総重量を計算する工程と、前記計算される前記足場を構成する各材料の数量と重量を前記要求のあった携帯端末へ送信する工程と、を備えることを特徴とする。
【００２１】
請求項７に記載の発明によれば、建築物の高さと幅をパラメータとして仮設足場を構成する材料を拾い出し、各材料の必要数量に換算すると共に、各材料の総重量を計算し、各材料の数量と重量を要求のあった携帯端末へ送信することにより設計が自動化されるため、足場構成材料拾い出しのための設計者の負担軽減がはかれ、かつ、ユーザは、現地で直接その設計データを入手することが可能となる。
【００２２】
請求項８に記載の発明は、携帯端末とは通信網を介して接続される仮設足場設計データ提供装置のための設計データ提供方法であって、前記携帯端末を介して入力される前記仮設足場を構成する単位枠の縦横に必要な数量をそれぞれパラメータとする前記仮設足場材料の設計データ取得要求を受信する工程と、前記パラメータに従って前記仮設足場を構成する材料を拾い出し、各材料の必要数量に換算すると共に、前記各材料の総重量を計算する工程と、計算される前記足場を構成する各材料の数量と重量を前記要求のあった携帯端末へ送信する工程と、を備えることを特徴とする。
【００２３】
請求項８に記載の発明によれば、携帯端末を介して入力される仮設足場を構成する単位枠の縦横に必要な数量をそれぞれパラメータとして仮設足場を構成する材料を拾い出し、各材料の必要数量に換算すると共に、各材料の総重量を計算し、各材料の数量と重量を要求のあった携帯端末へ送信することにより設計が自動化されるため、足場構成材料拾い出しのための設計者の負担軽減がはかれ、現地で直接その設計データを入手可能となる。
【００２４】
請求項９に記載の発明は、携帯端末とは通信網を介して接続される仮設足場設計データ提供装置に用いられる仮設足場設計データ提供プログラムであって、
前記携帯端末を介して入力される建築物の高さと幅をパラメータとする前記仮設足場材料の設計データ取得要求を受信するステップと、前記パラメータに従って前記仮設足場を構成する材料を拾い出し、各材料の必要数量に換算すると共に、前記各材料の総重量を計算するステップと、前記材料拾い出し手段によって計算される前記足場を構成する各材料の数量と重量を前記要求のあった携帯端末へ送信するステップと、をコンピュータに実行させることを特徴とする。
【００２５】
請求項９に記載の発明によれば、上記した仮設足場設計データ提供プログラムをコンピュータに実行させることにより、建築物の高さと幅をパラメータとして仮設足場を構成する材料を拾い出し、各材料の必要数量に換算すると共に、各材料の総重量を計算し、各材料の数量と重量を要求のあった携帯端末へ送信することにより設計が自動化されるため、足場構成材料拾い出しのための設計者の負担軽減がはかれ、かつ、ユーザは、現地で直接その設計データを入手することが可能な仮設足場設計データ提供装置を構築することができる。
【００２６】
請求項１０に記載の発明は、携帯端末とは通信網を介して接続される仮設足場設計データ提供装置のための仮設足場設計データ提供プログラムであって、前記携帯端末を介して入力される前記仮設足場を構成する単位枠の縦横に必要な数量をそれぞれパラメータとする前記仮設足場材料の設計データ取得要求を受信するステップと、前記パラメータに従って前記仮設足場を構成する材料を拾い出し、各材料の必要数量に換算すると共に、前記各材料の総重量を計算するステップと、前記材料拾い出し手段によって計算される前記足場を構成する各材料の数量と重量を前記要求のあった携帯端末へ送信するステップと、をコンピュータに実行させることを特徴とする。
【００２７】
請求項１０に記載の発明によれば、上記した仮設足場設計データ提供プログラムをコンピュータに実行させることにより、携帯端末を介して入力される仮設足場を構成する単位枠の縦横に必要な数量をそれぞれパラメータとして仮設足場を構成する材料を拾い出し、各材料の必要数量に換算すると共に、各材料の総重量を計算し、各材料の数量と重量を要求のあった携帯端末へ送信することにより設計が自動化されるため、足場構成材料拾い出しのための設計者の負担軽減がはかれ、現地で直接その設計データを入手可能な仮設足場設計データ提供装置を構築することができる。
【００２８】
【発明の実施の形態】
図１は、本発明の仮設足場設計データ提供装置の内部構成を機能展開して示したブロック図である。
本発明の仮設足場設計データ提供装置は、「みのりシステム」としてサイト展開されるため、サーバ上に構築される。具体的には、通信インタフェース部１１と、設計データ取得要求受信部１２と、材料拾い出し部１３と、設計データ送信部１４と、ボタン検知部１５と、足場材料発注部１６と、足場材料・ルールＤＢ１７で構成される。
以下に示すブロックは、具体的には、ＣＰＵならびにメモリを含む周辺ＬＳＩで構成され、ＣＰＵがメモリに記録されたプログラムを逐次読み出し実行することにより、そのブロックが持つ機能を実現することとする。
【００２９】
通信インタフェース部１１は、通信網を介して接続される携帯端末（図示せず）とのインタフェースを司るものであり、ここでは通信網としてＩＰ（Ｉｎｔｅｒｎｅｔ・Ｐｒｏｔｏｃｏｌ）網を使用するため、ＴＣＰ／ＩＰ（Ｔｒａｎｓｐｏｒｔ・Ｃｏｎｔｒｏｌ・Ｐｒｏｔｏｃｏｌ／Ｉｎｔｅｒｎｅｔ・Ｐｒｏｔｏｃｏｌ）が実装される。
設計データ取得要求受信部１２は、携帯端末を介して入力される建築物の高さと幅をパラメータとする、あるいは、前記仮設足場を構成する単位枠の縦横に必要な数量をそれぞれパラメータとする仮設足場材料の設計データ取得要求を受信する機能を持ち、材料拾い出し部１３は、パラメータに従って仮設足場を構成する材料を拾い出し、各材料の必要数量に換算すると共に、各材料の総重量を計算する機能を持つ。
設計データ送信部１４は、材料拾い出し部１３によって計算される足場を構成する各材料の数量と重量を要求のあった携帯端末へ送信する機能を持つ。
【００３０】
なお、材料拾い出し部１３は、建築物の高さ、幅が大きさとしてパラメータ設定された婆に限り、仮設足場を構成する各枠の縦方向と横方向の単位寸法で除算した値を、縦枠数、横枠数とし、それぞれの枠に配置される材料の必要数量を、足場材料・ルールＤＢ１７に予め格納された所定のルールに従い決定することとする。
【００３１】
一方、ボタン検知部１５は、携帯端末の画面における任意の場所に割り付けられ表示される各種ボタンの押下（クリック）を検知するものであり、ここでは、携帯端末の画面に、計算ボタンや発注送信ボタンが割り付けられており、特に、発注送信ボタンには、提携業者のサーバアドレス（ＵＲＬ）が貼付されているものとする。
足場材料発注部１６は、発注送信ボタンが押下されることにより起動され、発注送信ボタンに貼付されたアドレスに相当するサーバに、材料拾い出し部１３によって計算される足場を構成する各材料の発注要求を発行する機能を持つ。
なお、足場材料・ルールＤＢ１７には、足場材料毎の単位重量ならびに仮設足場の種類毎、足場材料を構成する材料の必要数量を計算するためのルールが定義され、あらかじめ格納されている。
【００３２】
図２は、本発明実施形態の動作を説明するために引用したフローチャートであり、具体的には本発明の仮設足場設計データ提供プログラムの処理手順が示されている。
また、図３は、携帯端末の画面遷移、図４は、携帯端末に表示される仮設足場材料設計データの一例を、図５は材料拾い出し部による数量計算方法の一例を表形式で示した図である。
以下、図２〜図５を参照しながら図１に示す本発明実施形態の動作について詳細に説明する。
【００３３】
本発明の仮設足場設計データ提供装置は、まず、携帯端末を介して発行される仮設足場の設計データ取得要求、ならびに当該要求に添付された設計パラメータは、通信インタフェース部１１を介し設計データ取得要求受信部１２で受信される（Ｓ２１）。ここで、受信した設計パラメータは、材料拾い出し部１３で解析され、まずは要求された足場の種類がチェックされる（Ｓ２２）。
ここで、枠組み足場が設定されていた場合、更に、大きさ（建築物の高さ、幅）から計算するか、直接、段数とスパン数から計算するように設定されているかのいずれであるかがチェックされる（Ｓ２３）。
携帯端末において、足場の種類を設定する画面を図３（ａ）に、枠組み足場が設定された場合に、大きさから計算するか、段とスパン数から計算するか、いずれかを指定する画面の例が図３（ｂ）に示されている。
【００３４】
ここで、大きさが指定されていた場合は、図３（ｃ）に示されるように、建築物の幅と高さが設定され、ここで計算ボタンがクリックされることにより（Ｓ２４ＯＮ）、内部で段数とスパン数に換算される（Ｓ２６）。例えば、３０ｍ（高さ）×５０ｍ（幅）が設定された場合、単位寸法として１段当たり１．７ｍ、１スパン当たり１．８ｍとすれば、段数が３０／１．７≒１８、スパン数が５０／１．８≒３０（いずれも端数切り上げ）に換算される。すなわち、仮設足場を構成する鳥居型枠の縦方向と横方向の単位寸法で除算した値が、縦枠数、横枠数となる。
【００３５】
一方、段とスパン数が設定入力され、計算ボタンがクリックされることにより（Ｓ２５ＯＮ）、あるいは上記したように、大きさが設定され、段数とスパン数に換算された後は、材料拾い出し部１３で、足場材料毎、足場材料・ルールＤＢ１７に格納されてあるルールに従う数量ならびに重量の計算が行なわれる（Ｓ２７）。
具体的には、図５に示されるルールに従って計算され、設計データ送信部１４を介して図３（ｄ）に示されるフォーマットで各材料の必要本数が出力され、更に、単位重量が掛け合わされて総重量が計算され出力される。設計データ送信部１４、通信インタフェース部１１を介して携帯端末に表示される出力データ形式の一例を図４に示す。
【００３６】
すなわち、仮設足場、ここでは、枠組み足場を構成する材料は、少なくとも、鳥居型枠、筋交い、ジャッキベース、大小の板付き布枠、短部ストッパから成る。
図５に計算方法の一例が表形式で示されるように、材料拾い出し部１３は、仮設足場、枠組み足場を例示すれば、足場を構成する単位枠を縦方向にｎ個、横方向にｍ個必要とする場合、単位枠を構成する鳥居型枠はｎ×ｍ個、筋交いは、枠が横方向に１増える毎に２ｍ個、枠が縦方向に１増える毎に２ｎ個、ジャッキベースは、枠が横方向に１増える毎に２ｍ個必要数量として拾い出す。また、板付き布枠は、枠が横方向に１増える毎にｍ個、枠が縦方向に１増える毎にｎ個、短部ストッパは、枠が横方向に１増える毎に２ｎ個、枠が縦方向に１増える毎に４個、必要数量として拾い出す。
なお、ここでは、枠組み足場のみ例示したが、移動足場、一足足場等、他の種類の足場にも適用できるものであり、冒頭、パラメータとして、仮設足場の種類が設定される。そこで足場の種類に従って定義される所定のルールに従い、仮設足場を構成する材料を拾い出し、各材料の必要数量に換算されるものとする。
【００３７】
次に、仮設足場の設計者であるユーザは、出力される数量、重量を確認後、発注が必要なときに携帯端末の画面に割り付けられた発注送信ボタンをクリックする。すなわち、図３（ｄ）に示される発注送信ボタンのクリック操作が行なわれる。ボタン検知部１５で発注送信ボタンのクリックが検知されると（Ｓ２８ＯＮ）、足場材料発注部１６が起動され、発注先への注文処理に移る（Ｓ２９）。
ここでは、発注送信ボタンに貼付されたアドレスに相当するサーバ（発注業者サーバ）に、材料拾い出し部１３によって計算された足場を構成する各材料が必要数量だけ発注要求として送信され、総重量に基づく運送手配がなされる。
【００３８】
以上説明のように本発明は、サイトを立ち上げることによって携帯端末を介して発行されるユーザからの仮設足場に関する設計データ取得要求を受付け、仮設足場を構成する材料の必要数量ならびに重量等を自動計算して送信することにより設計者の負担軽減をはかり、設計者であるユーザは、リアルタイムでその仮設足場の設計データの入手を行なうものである。また、携帯端末に注文発注ボタンを割り付けて業者のＵＲＬを貼付することによって、発注のための事務処理を省略するものである。
【００３９】
図６に、建物の各部屋の内装仕上げに必要な材料の数量を拾い出す場合の携帯端末における画面遷移の一例が示されている。このように、本発明は、足場材料のみならず、数量に一定のルールがあれば、内装仕上げ材他への応用も可能である。他に、建材の仕様確認、災害時仮設住宅の部品の現地拾い出し、鉄筋工事のスペーサ類の現地拾い出し、ワイヤメッシュの拾い出し、ＯＡフロアやシステムフロア類の部品の拾い出し、システム天井類の材料部品の拾い出し、システムキッチンやユニットバスの材料部品の拾い出し等についても同様、応用が可能である。
【００４０】
また、図１に示す通信インタフェース部１１と、設計データ取得要求受信部１２と、材料拾い出し部１３と、設計データ送信部１４と、ボタン検知部１５と、足場材料発注部１６のそれぞれで実行される手順をコンピュータ読み取り可能な記録媒体に記録し、この記録媒体に記録されたプログラムをコンピュータシステムに読み込ませ、実行することにより、本発明の仮設足場材料設計データ提供装置を実現するものとする。
ここでいうコンピュータシステムとは、ＯＳや周辺機器等のハードウアを含むものである。
【００４１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４３】
【発明の効果】
以上説明のように本発明によれば、サイトを立ち上げることによって携帯端末を介して発行されるユーザからの仮設足場に関する設計データ取得要求を受付け、建築物の高さ、幅等、適当なパラメータを得、仮設足場を構成する材料の必要数量ならびに重量等を自動計算して送信することにより、設計者の負担軽減をはかり、リアルタイムでの仮設足場の設計データの入手が可能となる。また、携帯端末に発注送信ボタンを割り付け、当該発注送信ボタンに発注業者のＵＲＬ（Ｕｎｉｆｏｒｍ・Ｒｅｓｏｕｒｃｅ・Ｌｏｃａｔｅｒ）を貼付することによって、発注のための事務処理を省略することができ、人的コストを削減することも可能である。
【図面の簡単な説明】
【図１】本発明の仮設足場設計データ提供装置の内部構成を機能展開して示したブロック図である。
【図２】本発明実施形態の動作を説明するために引用したフローチャートである。
【図３】本発明により携帯端末に表示される画面遷移の一例を示す図である。
【図４】本発明により、携帯端末に表示される仮設足場材料設計データの一例を示す図である。
【図５】本発明に従う計算方法の一例を表形式で示した図である。
【図６】本発明により携帯端末に表示される画面遷移の他の例を示す図である。
【図７】枠組み足場の全体構造の概略を示す図である。
【図８】図７における枠組み足場を構成する各材料の外観を示す図である。
【符号の説明】
１１　　通信インタフェース部
１２　　設計データ取得要求受信部
１３　　材料拾い出し部
１４　　設計データ送信部
１５　　ボタン検知部
１６　　足場材料発注部
１７　　足場材料・ルールＤＢ
【図１】
2004092296.tif 000003
【図２】
2004092296.tif 000004
【図３】
2004092296.tif 000005
【図４】
2004092296.tif 000006
【図５】
2004092296.tif 000007
【図６】
2004092296.tif 000008
【図７】
2004092296.tif 000009
【図８】
2004092296.tif 000010